(57)【要約】【課題】色覚パターンによって混同する場合がある色同士の境界を識別可能にできる画像処理装置及び画像処理プログラムを提供する。【解決手段】画像情報を取得し、取得した画像情報を、色覚の違いによって混同される場合がある色同士を同じ色に変換するための変換情報に基づいて変換すると共に、取得した画像情報及び変換した画像情報の各々により示される画像の色境界を検出する検出し、取得された画像情報から検出された色境界の内、変換された画像情報からは検出されなかった混同色境界を抽出して、抽出された色境界の輝度を変更する。【選択図】図２
2009124221.tif 000002
【特許請求の範囲】
【請求項１】
画像情報を取得する取得手段と、
色覚の違いによって混同される場合がある色同士を同じ色に変換するための変換情報が予め記憶される記憶手段と、
前記取得手段により取得された画像情報を前記記憶手段に記憶された変換情報に基づいて変換する変換手段と、
前記取得手段により取得された画像情報及び前記変換手段により変換された画像情報に基づいて、各画像情報により示される画像の色境界を検出する検出手段と、
前記検出手段による検出結果に基づいて、前記取得手段により取得された画像情報から検出された色境界の内、前記変換手段により変換された画像情報からは検出されなかった混同色境界を抽出する抽出手段と、
前記抽出手段により抽出された色境界の輝度を変更する変更手段と、
を備えた画像処理装置。
【請求項２】
前記画像情報をテキスト領域とイメージ領域とに分離する分離手段を更に備え、
前記抽出手段は、前記分離手段により分離されたテキスト領域の色境界を対象として前記混同色境界を抽出する請求項１記載の画像処理装置。
【請求項３】
前記分離手段は、前記検出手段で前記取得手段により取得された画像情報から検出された前記色境界の分布に基づいて、前記テキスト領域と前記イメージ領域とに分離する請求項２記載の画像処理装置。
【請求項４】
コンピュータに、
画像情報を取得する取得ステップ、
色覚の違いによって混同される場合がある色同士を同じ色に変換するための変換情報に基づいて、前記画像情報を変換する変換ステップと、
前記取得ステップで取得した前記画像情報及び前記変換ステップで変換された画像情報の各々により示される画像の色境界を検出する検出ステップ、
前記取得ステップで取得された画像情報から検出された色境界の内、前記変換ステップで変換された画像情報からは検出されなかった混同色境界を抽出する抽出ステップ、
前記混同色境界の輝度を変更する変更ステップ、
を実行させる画像処理プログラム。
【発明の詳細な説明】
【技術分野】
【０００１】
本発明は、画像処理装置及び画像処理プログラムに関する。
【背景技術】
【０００２】
目の特徴の一つとして、色の認識パターン（色覚パターン）が複数存在することが知られている。これは、色を認識する錐体細胞の変異によるものであり、例えば、眼科用語では、赤、青、緑の全てを識別可能な色覚パターンを３色覚とし、何れか１色が識別できない色覚パターンを２色覚とするなど、細かく分類されている。
【０００３】
この色覚パターンによっては、円グラフなどで隣り合う色が同じ色として見えてしまうために情報を正しく認識することが困難な場合がある。
【０００４】
そこで、従来、例えば特許文献１には、色覚異常者にとっても、色境界の判別を容易にすることを目的とし、色変化の微分値を輝度に加算することが提案されている。
【０００５】
この色覚異常者の色の区別の補助をするために輝度を加算する画像処理は、必要な範囲で行うことが望ましい。また、色覚異常があったとしても、自然画や写真に対しては不便が生じることは少なく、自然画などに上記の画像処理を施すと、むしろ違和感が生じてしまう。
【特許文献１】特開２００２−０４４６７８公報
【発明の開示】
【発明が解決しようとする課題】
【０００６】
本発明は、色覚パターンによって混同する場合がある色同士の境界を識別可能にできる画像処理装置及び画像処理プログラムを提供することが目的である。
【課題を解決するための手段】
【０００７】
請求項１の発明は、画像情報を取得する取得手段と、色覚の違いによって混同される場合がある色同士を同じ色に変換するための変換情報が予め記憶される記憶手段と、前記取得手段により取得された画像情報を前記記憶手段に記憶された変換情報に基づいて変換する変換手段と、前記取得手段により取得された画像情報及び前記変換手段により変換された画像情報に基づいて、各画像情報により示される画像の色境界を検出する検出手段と、前記検出手段による検出結果に基づいて、前記取得手段により取得された画像情報から検出された色境界の内、前記変換手段により変換された画像情報からは検出されなかった混同色境界を抽出する抽出手段と、前記抽出手段により抽出された色境界の輝度を変更する変更手段と、を備えている。
【０００８】
請求項２の発明は、前記検出手段による検出結果に基づいて、前記画像情報をテキスト領域とイメージ領域とに分離する分離手段を更に備え、前記抽出手段は、前記分離手段により分離されたテキスト領域の色境界を対象として前記混同色境界を抽出する。
【０００９】
請求項３の発明は、前記分離手段は、前記検出手段による前記取得手段により取得された画像情報から検出された前記色境界の分布に基づいて、前記テキスト領域と前記イメージ領域とに分離する。
【００１０】
請求項４の発明は、コンピュータに、画像情報を取得する取得ステップ、色覚の違いによって混同される場合がある色同士を同じ色に変換するための変換情報に基づいて、前記画像情報を変換する変換ステップと、前記取得ステップで取得した前記画像情報及び前記変換ステップで変換された画像情報の各々により示される画像の色境界を検出する検出ステップ、前記取得ステップで取得された画像情報から検出された色境界の内、前記変換ステップで変換された画像情報からは検出されなかった混同色境界を抽出する抽出ステップ、前記混同色境界の輝度を変更する変更ステップ、を実行させる。
【発明の効果】
【００１１】
請求項１記載の発明によれば、色覚パターンによって混同する場合がある色同士の境界を識別可能にできる。
【００１２】
請求項２記載の発明によれば、色境界を識別する必要な領域に対して処理を施すことができる。
【００１３】
請求項３記載の発明によれば、画像情報の形式に拘らず、テキスト領域とイメージ領域とに分離することができる。
【００１４】
請求項４記載の発明によれば、色覚パターンによって混同する場合がある色同士の境界を識別可能にできる。
【発明を実施するための最良の形態】
【００１５】
以下、図面を参照して、本発明に係る実施の形態について説明する。
【００１６】
図１には、本実施の形態に係る複合機１０の構成が概略的に示されている。同図に示されるように、複合機１０は、通信制御部２０、ＣＰＵ（中央演算処理装置）２２、ＲＯＭ（Read Only Memory）２４、ＲＡＭ（Random Access Memory）２６、操作部２８、スキャナ３０、色変換処理部３２、色境界強調処理部３４、圧縮伸張処理部３６、ハードディスクドライブ（ＨＤＤ）３８、画像処理部４０、記録データ生成部４２及び画像形成制御部４４を含んで構成されている。
【００１７】
ＣＰＵ２２は、ＲＡＭ２６をワークエリアとして用い、ＲＯＭ２４に記憶されたプログラムを実行することにより複合機１０全体を制御する。ＣＰＵ２２では、各部位を組み合わせて動作させることにより、通信制御部２０を介して外部装置等から受信した画像データのプリント、原稿のスキャン、原稿のコピー、ファクシミリ送受信等、複数の機能を実行可能に構成されている。また、ＨＤＤ３８は、各種情報の蓄積に用いられる。
【００１８】
操作部２８は、表示パネルや入力ボタン等を含んで構成されており、ユーザの操作入力に応じて、複合機１０に実行させる機能の選択、各機能を実行する際のパラメータ等の選択、実行タイミングの指示等を入力する。
【００１９】
通信制御部２０は、ネットワーク等を介した外部装置との通信により、例えば、プリントデータを受信したり、他の装置にデータを送信したりする。
【００２０】
また、スキャナ３０は、不図示の原稿画像を読み取る読取機構を含んで構成されており、当該読取機構を駆動して原稿画像を示す画像情報を取得する。例えば、原稿面を下にして原稿読取ガラス（プラテンガラス）上の所定の読取位置にセットされた原稿にプラテンガラスを介して光を照射し、原稿面からの反射光をＣＣＤ（Charge Coupled Device）を用いて電気信号に変換することにより原稿面に形成された画像を示す画像情報を取得する。
【００２１】
色変換処理部３２では、画像の色空間の変換を行ない、圧縮伸張処理部３６では、所定の圧縮形式で画像情報に圧縮処理を施す一方、圧縮処理された画像情報に伸張処理を施す。なお、圧縮方式としては、ＪＰＥＧ（Joint Photographic Experts Group）、ＧＩＦ（Graphic Interchange Format）、ＰＮＧ（Portable Network Graphics）等、種々の方式を適用できる。
【００２２】
画像処理部４０は、ＨＤＤ３８に格納されているプリントデータやスキャナ３０を介して取得された画像情報に対して各種画像処理を施す。
【００２３】
また、記録データ生成部４２では、記録紙に画像を形成する場合に、画像情報に基づいて画像形成用の記録データを生成する。画像形成制御部４４では、記録データ生成部４２で生成された記録データに基づいて不図示の画像形成ユニットを制御して、記録紙上に画像を形成する。
【００２４】
また、スキャンファイル生成部４６では、スキャナ３０により読み取った画像情報に基づいて、原稿画像を示す所定のファイルフォーマットのスキャンファイルを生成する。
【００２５】
色境界強調処理部３４では、スキャナ３０により読み取った画像情報に対して、人の色覚パターンにより混同される色（以下、混同色という）同士の境界の輝度成分を調整することにより、混同色の境界を識別可能にする処理を行なう。
【００２６】
図２は、本実施の形態に係る複合機１０における色境界強調処理に関する機能ブロック図である。スキャナ３０は、例えば、操作部２８を介してスキャン機能、コピー機能及びファクシミリ送信機能等の実行が選択された場合に、原稿画像の読み取りを行なう。スキャナ３０では、操作部２８を介して入力される処理の実行指示に基づいて、読取位置にセットされた原稿面の画像情報を取得する。
【００２７】
色変換処理部３２では、スキャナ３０により読み取られた原稿画像を示す画像信号に対して色空間の変換を行なう。色空間の変換としては、例えば、スキャナ３０から出力される色空間ＲＧＢで示される画像情報を色空間Ｌａｂで示される画像情報に変換し、さらに、色空間Ｌａｂの画像情報を色空間ＹＣｂＣｒの画像情報に変換する。
【００２８】
なお、色変換処理部３２では、実行する処理に応じて種々の色変換を行なう。例えば、画像形成ユニットを用いた画像形成時には、画像形成ユニットにより形成するインクやトナーの色構成に応じて、各色空間から色空間ＹＭＣＫ等への変換を行なう場合もある。
【００２９】
また、色境界強調処理部３４は、混同色変換処理部５０及び色覚パターンデータ格納部５２を含んで構成されている。混同色変換処理部５０では、上記色変換処理部３２とは異なる色覚パターンにおいて混同色同士を同じ色に変換する色変換処理が行われる。
【００３０】
色覚パターンデータ格納部５２には、混同色同士を同じ色に変換するためのＬＵＴ（Look Up Table）が格納されている。なお、このＬＵＴは、色差信号ＣｂＣｒを色差信号Ｃｂ´Ｃｒ´に変換する。
【００３１】
なお、色覚パターンデータ格納部５２には、複数の色覚パターンにおける混同色の全てを混同色として扱うＬＵＴを格納しておき、常にそのＬＵＴを用いるようにしてもよい。また、複数の色覚パターンに応じたＬＵＴをそれぞれ格納しておき、操作部２８を介して選択された色覚パターンのＬＵＴを選択的に用いて処理を行うようにしてもよい。さらに、複数の色覚パターンにおける混同色の組み合わせを混同色として扱うＬＵＴと、複数の色覚パターンに応じたＬＵＴをそれぞれ格納しておき、操作部２８を介して選択された色覚パターンのＬＵＴを選択的に用いて処理を行うようにしてもよい。また、色覚パターンが同じでも、見え方に個人差があるため、見え方を登録可能に構成し、見え方に応じたＬＵＴを選択するようにしてもよい。
【００３２】
また、色境界強調処理部３４は、第１エッジ検出部５４、第２エッジ検出部５６、混同色エッジ検出部５８、及び輝度調整処理部６０を含んで構成されている。各エッジ検出部５４、５６では、微分フィルタ、ソーベルフィルタ、ラプラシアンフィルタ等を用いて画像情報にフィルタ処理を施すことにより検出してもよい。
【００３３】
第１エッジ検出部５４には、色変換処理部３２から出力される画像情報ＹＣｂＣｒが入力され、当該画像情報の色差成分を示す色差信号ＣｂＣｒに基づいて画像の境界の検出が行われ、色の境界である場合にはＯＮのｅ１検出信号を出力し、色の境界でない場合はＯＦＦのｅ１検出信号を出力する。
【００３４】
また、第２エッジ検出部５６には、混同色同士を同じ色に変換する混同色変換処理部５０により出力される画像情報ＹＣｂ´Ｃｒ´が入力され、当該画像情報の色差成分を示す色差信号Ｃｂ´Ｃｒ´に基づいて画像の境界の検出が行われ、色の境界である場合にはＯＮのｅ１検出信号を出力し、色の境界でない場合はＯＦＦのｅ１検出信号を出力する。
【００３５】
混同色エッジ検出部５８は、第１エッジ検出部から出力される第１エッジ検出信号ｅ１と、第２エッジ検出信号ｅ２と、を比較して混同色エッジか否かを判定する。具体的には、第１エッジ検出信号ｅ１がエッジであることを示し（ＯＮ）、第２エッジ検出信号ｅ２がエッジでないことを示している（ＯＦＦ）場合に、混同色のエッジＥｍであると判定し、ＯＮのＥｍ信号を出力する。なお、混同色のエッジでないと判定した場合は、ＯＦＦのＥｍ信号を出力する。
【００３６】
輝度調整処理部６０では、色変換処理部３２から出力されたＹＣｂＣｒ信号の輝度成分を示す輝度信号Ｙを混同色エッジ検出部５８から出力された混同色エッジ検出信号Ｅｍに基づいて調整し、輝度信号Ｙ´として出力する。輝度調整処理部６０では、混同色エッジ検出信号ＥｍがＯＮの場合、すなわち、混同色エッジＥｍを構成する画素である場合に、輝度を調整する。これにより、混同色エッジＥｍを構成する画素の輝度とその周囲の画素の輝度とに差ができるようにする。
【００３７】
この輝度信号の調整は、例えば、以下の（１）式で示される８方向ラプラシアンフィルタ及び（２）式で示される定数を用い、（３）式に示すようにして調整される。
【００３８】
Ｃｏｅｆ０＝Ｙ[ｎ−１，ｎ−１]＋Ｙ[ｎ，ｎ−１]＋Ｙ[ｎ＋１，ｎ−１]
＋Ｙ[ｎ−１，ｎ]−８＊Ｙ[ｎ，ｎ]＋Ｙ[ｎ＋１，ｎ]
＋Ｙ[ｎ−１，ｎ＋１]＋Ｙ[ｎ，ｎ＋１]＋Ｙ[ｎ＋１，ｎ＋１]・・・(１)
Ｃｏｅｆ１＝Ｋ（Ｋ：定数）  ・・・  (２)
Ｙ´＝Ｃｏｅｆ１＊（Ｙ[ｎ，ｎ]＋Ｃｏｅｆ０）  ・・・  (３)
【００３９】
この場合、Ｃｏｅｆ１、すなわち定数Ｋの値を調整することにより、混同色エッジＥｍを構成する画素の輝度を周囲の画素の輝度よりも低くすることもできるし、高くすることもできる。
【００４０】
なお、輝度調整処理部６０から出力されたＹ´ＣｂＣｒ信号は、圧縮伸張処理部３６や画像処理部４０、スキャンファイル４６等によりそれぞれ処理が施される。
【００４１】
以下、本実施の形態の作用を説明する。
【００４２】
複合機１０では、ユーザにより操作部２８を介して実行する機能が選択されると、選択された機能を実行する。
【００４３】
操作部２８を介してスキャン機能の実行が選択された場合には、スキャナ３０により原稿画像が読み取られ、スキャナ３０から出力される画像情報に対して色変換処理部３２により適宜色空間の変換処理を施すと共に、色境界強調処理部３４の混同色変換処理部５０により、混同色同士を同じ色に変換する混同色変換処理を施す。
【００４４】
その後、第１エッジ検出部５４では色変換処理部３２から出力されたＹＣｂＣｒ信号について、第２エッジ検出部５６では混同色変換処理部５０から出力されたＹＣｂ´Ｃｒ´信号について、それぞれエッジ検出を行う。
【００４５】
色境界強調処理部３４では、このエッジ検出結果を用いて色境界強調処理を行う。
【００４６】
図３は、色境界強調処理部３４における色境界強調処理の流れを示すフローチャートである。以下、同図を参照して本実施の形態に係る色境界強調処理について説明する。
【００４７】
まず、ステップ２００では、処理対象とする画素を識別するための変数ｎに１をセットし、その後にステップ２０２に移行して、画素ｎについてのエッジ検出信号ｅ１、ｅ２をそれぞれ取得する。
【００４８】
次のステップ２０４では、ｅ１＝ＯＮ，ｅ２＝ＯＦＦか否かを判定する。当該判定が肯定判定となった場合は、色覚パターンによっては混同してしまう色の境界を構成する画素であると判断してステップ２０６に移行し、輝度信号Ｙを調整して輝度信号Ｙ´として出力し、その後にステップ２１０に移行する。なお、輝度の調整は、上記（１）式〜（３）式を用いて行なうことができる。
【００４９】
一方、ステップ２０４で否定判定となった場合は混同色エッジではないと判断してステップ２０８に移行し、当該画素ｎについては輝度信号Ｙをそのまま輝度信号Ｙ´として出力し、その後にステップ２１０に移行する。
【００５０】
ステップ２１０では、全画素について処理が終了したか否かを判定し、当該判定が否定判定となった場合はステップ２１２に移行して、ｎをインクリメント（ｎに「１」を加算）し、その後に再びステップ２０２に戻る。
【００５１】
このようにして、処理対象となる画素を１画素ずつずらし、画像情報を構成する各画素についてステップ２０２〜２１０の処理を繰り返し、全画素についての処理が終了してステップ２１０が肯定判定となった場合に、本色境界強調処理を終了する。
【００５２】
なお、上記実施の形態では、スキャナ３０により読み取った画像情報の全てを色境界強調処理の対象とする形態について説明したが、本発明はこの形態に限定されるものではない。
【００５３】
例えば、画像情報を、文字やグラフ等を示すテキスト領域と、写真や絵画等を示すイメージ領域と、に分離して、テキスト領域を対象として色境界強調処理を行うようにしてもよい。
【００５４】
図４には、他の形態として、画像情報をテキスト領域とイメージ領域とに分離して色境界強調処理を施す場合の機能ブロック図の一例が示されている。同図に示す例では、色境界強調処理部３４に分離処理部６２を追加している。分離処理部６２は、第１エッジ検出部５４及び混同色エッジ検出部５８に接続されている。
【００５５】
分離処理部６２では、第１エッジ検出部５４により検出されたエッジの分布に基づいてレイアウト解析を行い、画像情報により示される画像が文字やグラフ等であるか、写真や絵画等であるかを識別し、混同色エッジ検出部５８に識別結果を示す分離信号を出力する。分離信号は、例えば、テキスト領域であると識別した場合にＯＮ、イメージ領域であると識別した場合にＯＦＦとなるように出力してもよい。
【００５６】
また、混同色エッジ検出部５８では、当該分離信号に応じて、例えば、テキスト領域を構成する画素について、混同色エッジを構成するか否かを判定する。
【００５７】
図５には、当該他の形態とした場合の色境界強調処理の流れが示されている。以下、同図を参照して他の形態に係る色境界強調処理について説明する。
【００５８】
まず、ステップ３００では、処理対象とする画素を識別するための変数ｎに１をセットし、その後にステップ３０２に移行して、画素ｎについてのエッジ検出信号ｅ１、ｅ２及び分離信号をそれぞれ取得する。
【００５９】
次のステップ３０３では、分離信号に基づいて、画素ｎがテキスト領域を構成する画素であるか否かを判定する。当該判定が否定判定となった場合は、画素ｎはイメージ領域を構成する画素であり、特に混同色エッジを強調する処理は不要であると判断し、ステップ３０８に移行する。
【００６０】
一方、ステップ３０３で肯定判定となった場合は、混同色の境界を強調すべくステップ３０４に移行する。ステップ３０４では、ｅ１＝ＯＮ，ｅ２＝ＯＦＦか否かを判定する。当該判定が肯定判定となった場合は、色覚パターンによっては混同してしまう色の境界を構成する画素であると判断してステップ３０６に移行し、輝度信号Ｙを調整して輝度信号Ｙ´として出力し、その後にステップ３１０に移行する。なお、輝度の調整は、上記（１）式〜（３）式を用いて行なうことができる。
【００６１】
一方、ステップ３０４で否定判定となった場合は混同色エッジではないと判断してステップ３０８に移行する。
【００６２】
ステップ３０８では、当該画素ｎについての輝度信号Ｙをそのまま輝度信号Ｙ´として出力し、その後にステップ３１０に移行する。
【００６３】
ステップ３１０では、全画素について処理が終了したか否かを判定し、当該判定が否定判定となった場合はステップ３１２に移行して、ｎをインクリメント（ｎに「１」を加算）して次の画素を処理対象とし、その後に再びステップ３０２に戻る。
【００６４】
このようにして、処理対象となる画素を１画素ずつずらし、画像情報を構成する各画素についてステップ３０２〜３１０の処理を繰り返し、全画素についての処理が終了してステップ３１０が肯定判定となった場合に、本色境界強調処理を終了する。
【００６５】
なお、以上の実施形態で説明した複合機１０の構成及び各処理の流れは一例であり、本発明の主旨を逸脱しない範囲内において適宜変更可能であることは言うまでもない。
【００６６】
また、各実施の形態では、スキャナ３０により原稿を読み取って得られた画像情報に対して色境界強調処理を行う形態について説明したが、本発明はこれに限定されるものではなく、例えば、印刷データとして通信制御部２０を介して受信されるページ記述言語等により示される画像情報を処理対象としてもよい。
【００６７】
なお、ページ記述言語により示される画像情報について、テキスト領域とイメージ領域とに分離して処理を行う場合は、分離処理をデータの記述形式に基づいて予め分離して色強調処理を施してもよい。
【００６８】
図６は、本発明の各種処理の機能をコンピュータプログラムで実現した場合におけるコンピュータプログラム及びそのコンピュータプログラムを格納した記憶媒体とコンピュータの一例の説明図である。図中、５５０はプログラム、５５２はコンピュータ、５５４は光磁気ディスク、５５６は光ディスク、５５８は磁気ディスク、５６０はメモリ、５６２は内部メモリ、５６６は読取部、５７０はハードディスク、５６８、５７４はインタフェース、５７２は通信部である。
【００６９】
なお、上記白紙領域の判定に用いる閾値及び集約数の判定に用いる閾値は、読み取る原稿の種類（写真か文字か、や、原稿の色合い等）に応じて複数種類設定しておき、適宜選択的に用いるように構成してもよい。
【００７０】
上述の各実施の形態で説明した本発明の各種処理の機能の一部または全部を、コンピュータにより実行可能なプログラム５５０によって実現することが可能である。その場合、そのプログラム５５０及びそのプログラムが用いるデータなどは、コンピュータが読み取り可能な記憶媒体に記憶することも可能である。記憶媒体としては、コンピュータのハードウエア資源に備えられている読取部５６６に対して、プログラムの記述内容に応じて、磁気、光、電気等のエネルギーの変化状態を引き起こして、それに対応する信号の形式で、読取部５６６にプログラムの記述内容を伝達できるものである。例えば、光磁気ディスク５５４、光ディスク５５６（ＣＤやＤＶＤなどを含む）、磁気ディスク５５８、メモリ５６０（ＩＣカード、メモリカードなどを含む）等である。もちろんこれらの記憶媒体は、可搬型に限られるものではない。
【００７１】
これらの記憶媒体にプログラム５５０を格納しておき、例えばコンピュータ５５２の読取部５６６あるいはインタフェース５７４にこれらの記憶媒体を装着することによって、コンピュータからプログラム５５０を読み出し、内部メモリ５６２またはハードディスク５７０に記憶し、ＣＰＵ５６４によってプログラム５５０を実行することによって、本発明の各種処理の機能を実現することができる。あるいは、ネットワークなどを介してプログラム５５０をコンピュータ５５２に転送し、コンピュータ５５２では通信部５７２でプログラム５５０を受信して内部メモリ５６２またはハードディスク５７０に記憶し、ＣＰＵ５６４によってプログラム５５０を実行することによって、本発明の各種処理の機能を実現してもよい。なお、コンピュータ５５２には、このほかインタフェース５６８を介して様々な装置と接続することができ、例えば情報を表示する表示装置やユーザが情報を入力する入力装置等も接続されている。
【００７２】
もちろん、一部の機能についてハードウエアによって構成することもできるし、すべてをハードウエア構成としてもよい。あるいは、他の構成とともに本発明も含めたプログラムとして構成することも可能である。
【図面の簡単な説明】
【００７３】
【図１】実施の形態に係る複合機の構成を示す概略図である。
【図２】実施の形態に係る色境界強調処理に関する機能ブロック図である。
【図３】実施の形態に係る色境界強調処理の流れを示すフローチャートである。
【図４】他の形態に係る色境界強調処理に関する機能ブロック図である。
【図５】他の形態に係る色境界強調処理の流れを示すフローチャートである。
【図６】本発明の各種処理の機能をコンピュータプログラムで実現した場合におけるコンピュータプログラム及びそのコンピュータプログラムを格納した記憶媒体とコンピュータの一例の説明図である。
【符号の説明】
【００７４】
１０  複合機
１６  外部装置
２０  通信制御部
２２  ＣＰＵ
２４  ＲＯＭ
２６  ＲＡＭ
２８  操作部
３０  スキャナ（取得手段）
３２  色変換処理部
３４  色境界強調処理部
３６  圧縮伸張処理部
３８  ＨＤＤ
４０  画像処理部
４２  記録データ生成部
４４  画像形成制御部
４６  スキャンファイル生成部
５０  混同色変換処理部（変換手段）
５２  色覚パターンデータ格納部（記憶手段）
５４  第１エッジ検出部（検出手段）
５６  第２エッジ検出部（検出手段）
５８  混同色エッジ検出部（抽出手段）
６０  輝度調整処理部（変更手段）
６２  分離処理部
【図１】
2009124221.tif 000003
【図２】
2009124221.tif 000004
【図３】
2009124221.tif 000005
【図４】
2009124221.tif 000006
【図５】
2009124221.tif 000007
【図６】
2009124221.tif 000008